(57)【特許請求の範囲】
【請求項１】
第１表示制御部と第２表示制御部に対してバス型接続の通信ネットワークで接続され、無線通信によって受信した元映像データを前記第１表示制御部と前記第２表示制御部に出力する中継部と、
第１表示器に応じた映像仕様に前記元映像データを変換して第１映像データとして前記第１表示器に出力する前記第１表示制御部と、
第２表示器に応じた映像仕様に前記元映像データを変換して第２映像データとして前記第２表示器に出力する前記第２表示制御部と、
を備え、
前記中継部は、前記第１表示制御部と前記第２表示制御部に対して、前記元映像データをマルチキャスト送信し、
前記第１表示制御部による前記第１映像データの出力期間と、前記第２表示制御部による前記第２映像データの出力期間とは、前記第１表示制御部と前記第２表示制御部との個別の制御によって、個別に切り替えられている、
映像配信システム。
【請求項２】
請求項１に記載の映像配信システムであって、
前記第１表示器に応じた映像仕様は、前記第１表示器の表示仕様と、前記第１表示制御部と前記第１表示器との接続態様によって決定されており、
前記第２表示器に応じた映像仕様は、前記第２表示器の表示仕様と、前記第２表示制御部と前記第２表示器との接続態様によって決定されている、
映像配信システム。
【請求項３】
請求項１または請求項２に記載の映像配信システムであって、
前記中継部は、前記第１表示制御部と前記第２表示制御部に対して、Ｅｔｈｅｒｎｅｔで接続されている、
映像配信システム。
【請求項４】
請求項１乃至請求項３のいずれかに記載の映像配信システムであって、
前記第１映像データの出力期間から前記第２映像データの出力期間への切り替えのタイミングに、前記第１表示制御部は、前記第１映像データの出力を停止し、前記第２表示制御部は、前記第２映像データの出力を開始し、
前記第２映像データの出力期間から前記第１映像データの出力期間への切り替えのタイミングに、前記第２表示制御部は、前記第２映像データの出力を停止し、前記第１表示制御部は、前記第１映像データの出力を開始する、
映像配信システム。
【請求項５】
請求項４に記載の映像配信システムであって、
前記第１表示制御部に送信される元映像データと、前記第２表示制御部に送信される元映像データは同じである、
映像配信システム。
【請求項６】
請求項１乃至請求項５のいずれかに記載の映像配信システムであって、
前記第１表示制御部は、前記元映像データの受信前に前記第１表示器と接続が確立され、
前記第２表示制御部は、前記元映像データの受信前に前記第２表示器と接続が確立されている、
映像配信システム。
【請求項７】
請求項１乃至請求項６のいずれかに記載の映像配信システムであって、
前記中継部に対する接続が予め確立されており、前記元映像データを送信する送信元装置を、さらに備える、
映像配信システム。
【請求項８】
映像データの表示の操作開始前に、前記映像データの元となる元映像データの配信経路の接続を確立する工程と、
無線通信によって前記元映像データを受信する元映像データの受信工程と、
第１のアドレスと第２のアドレスに前記元映像データを送信する元映像データの配信工程と、
前記元映像データを第１映像仕様と第２映像仕様に変換し、前記第１映像仕様の前記映像データを第１表示器に出力し、前記第２映像仕様の前記映像データを第２表示器に出力する、変換後の映像データの出力工程と、
を有し、
前記元映像データの配信工程では、前記元映像データをマルチキャスト送信し、
前記変換後の映像データの出力工程では、前記第１映像仕様の前記映像データの前記第１表示器への出力期間と、前記第２映像仕様の前記映像データの前記第２表示器への出力期間とは、個別に切り替えられている、
映像配信方法。
【請求項９】
請求項８に記載の映像配信方法であって、
前記第１映像仕様は、前記第１表示器の表示仕様と、前記第１表示器に対する接続態様と、によって決定されており、
前記第２映像仕様は、前記第２表示器の表示仕様と、前記第２表示器に対する接続態様と、によって決定されている、
映像配信方法。
【請求項１０】
請求項８または請求項９に記載の映像配信方法であって、
前記元映像データの配信工程は、Ｅｔｈｅｒｎｅｔを用いて行われている、
映像配信方法。
【請求項１１】
請求項８乃至請求項１０のいずれかに記載の映像配信方法であって、
前記第１映像仕様の映像データの出力期間と、前記第２映像仕様の映像データの出力期間と、は、交互に切り替えられている、
映像配信方法。
【請求項１２】
請求項８乃至請求項１１のいずれかに記載の映像配信方法であって、
前記元映像データの受信前に、前記第１表示器に対する接続を確立する工程と、
前記元映像データの受信前に、前記第２表示器に対する接続を確立する工程と、を有する、
映像配信方法。
【請求項１３】
複数の表示器に対して映像データを配信する処理をコンピュータに実行させる映像配信プログラムであって、
前記コンピュータは、
映像データの表示の操作開始前に、前記映像データの元となる元映像データの配信経路の接続を確立する処理と、
無線通信によって受信した元映像データを第１のアドレスおよび第２のアドレスに送信する元映像データの配信処理と、
前記元映像データを第１の映像仕様と第２の映像仕様に変換し、前記第１の映像仕様の映像データと前記第２の映像仕様の映像データを、それぞれ別の表示器に出力する変換後の映像データの出力処理と、
を実行し、
前記元映像データの配信処理では、前記元映像データをマルチキャスト送信し、
前記変換後の映像データの出力処理では、前記第１の映像仕様の前記映像データの第１表示器への出力期間と、前記第２の映像仕様の前記映像データの第２表示器への出力期間とを、個別に切り替える、
映像配信プログラム。
【発明の詳細な説明】
【技術分野】
【０００１】
この発明は、元となるデータが同じ映像を複数の表示器に出力する映像配信システム、映像配信方法、および映像配信プログラムに関する。
【背景技術】
【０００２】
従来、配信映像を表示器に表示させるシステムが各種考案されている。例えば、特許文献１では、表示器に映像受信装置が接続されている。この際、例えば、映像受信装置と表示器は、ＨＤＭＩ（登録商標）のケーブルによって接続されている。映像受信装置は、無線ルータもしくは携帯通信端末と無線通信を確立し、当該無線通信によって映像データを受信する。映像受信装置は、受信した映像データをＨＤＭＩ形式に変換して表示器に出力している。
【０００３】
このような構成では、複数の表示器に映像データを表示する場合、表示器毎に映像受信装置を備える必要がある。各映像受信装置は、無線ルータもしくは携帯通信端末との無線通信をそれぞれ個別に確立し、それぞれ個別の無線通信によって映像データを受信する。
【０００４】
図６は、従来の構成を採用した映像配信システムのブロック図である。図６に示すように、従来の構成を採用した映像配信システムは、通信制御部４１Ｐ，４２Ｐを備える。通信制御部４１Ｐは、表示器９０１に対してＨＤＭＩケーブル９９１で接続されている。通信制御部４２Ｐは、表示器９０２に対してＨＤＭＩケーブル９９２で接続されている。
【０００５】
通信制御部４１Ｐ，４２Ｐは、それぞれ個別にタブレット端末９１１，９１２と無線通信を行い、映像データを受信する。通信制御部４１Ｐは、映像データをＨＤＭＩ形式に変換して、表示器９０１に出力する。通信制御部４２Ｐは、映像データをＨＤＭＩ形式に変換して、表示器９０２に出力する。この通信制御部４１Ｐ，４２Ｐが上述の映像受信装置に相当する。
【先行技術文献】
【特許文献】
【０００６】
【特許文献１】特開２０１４−７８７７１号公報
【発明の概要】
【発明が解決しようとする課題】
【０００７】
しかしながら、上述の特許文献１の構成で、複数の表示器を表示する場合、各映像受信装置がそれぞれに通信制御および表示映像の生成を行うため、映像受信装置の負荷が高くなり、表示器への映像表示の遅れ等が生じることがある。また、複数の映像受信装置がそれぞれに通信を行うため、無線通信帯域に占める映像受信装置毎の通信帯域が狭くなり、映像データの送信に遅延が生じることがある。
【０００８】
このように、上述の特許文献１の構成を用いた場合、複数の表示器で所望とするタイミングで映像を表示できないことがある。
【０００９】
また、従来の別の映像配信方法としては、複数の映像受信装置を順に切り換えて通信の確立と映像データの送信を行う方法もある。この場合、複数の映像受信装置に対して、同時に映像データを送信することができない。
【００１０】
本発明の目的は、複数の表示器に対して所望のタイミングで確実に映像を表示することが可能な映像配信システムおよび映像配信方法を提供することにある。
【課題を解決するための手段】
【００１１】
この発明の映像配信システムは、中継部と第１、第２表示制御部とを備える。中継部は、無線通信によって受信した元映像データを第１表示制御部と第２表示制御部に出力する。第１表示制御部は、第１表示器に応じた映像仕様に元映像データを変換して第１映像データとして第１表示器に出力する。第２表示制御部は、第２表示器に応じた映像仕様に元映像データを変換して第２映像データとして第２表示器に出力する。
【００１２】
この構成では、元映像データの受信を行う無線通信部を表示器毎に設けなくてもよく、１つの元映像データに対して、表示器毎に異なる映像仕様の映像が出力される。
【００１３】
また、この発明の映像配信システムでは、中継部は、第１、第２表示制御部に対して元映像データをマルチキャスト送信する。
【００１４】
この構成では、中継部と第１、第２表示制御部との間での通信データ量が軽減される。
【００１５】
また、この発明の映像配信システムでは、中継部は、第１、第２表示制御部に対して、それぞれに個別の時刻に元映像データをユニキャスト送信する。
【００１６】
この構成では、表示制御部毎に異なる時刻で元映像データが提供される。これにより、或る時刻において映像データが必要な表示制御部（および表示器）には元映像データが送信され、必要でない表示制御部（および表示器）には元映像データが送信されないという態様も実現可能になる。
【発明の効果】
【００１７】
この発明によれば、複数の表示器に対して所望のタイミングで確実に映像を表示することができる。
【図面の簡単な説明】
【００１８】
【図１】本発明の実施形態に係る映像配信システムおよびその周辺装置のブロック図
【図２】本発明の実施形態に係る映像配信システムの各部のデータおよび表示状態を示す図
【図３】本実施形態に係る映像配信システムおよび従来の映像配信システムにおける操作開始から映像の表示までを示すタイムチャート
【図４】本実施形態に係る映像配信システムにおいて、表示器毎に表示タイミングを変える態様のタイムチャート
【図５】本発明の実施形態に係る映像配信方法の処理を示すフローチャート
【図６】従来の構成を採用した映像配信システムのブロック図
【発明を実施するための形態】
【００１９】
本発明の実施形態に係る映像配信システムについて、図を参照して説明する。図１は、本発明の実施形態に係る映像配信システムおよびその周辺装置のブロック図である。図２は、本発明の実施形態に係る映像配信システムの各部のデータおよび表示状態を示す図である。
【００２０】
映像配信システム１０は、中継部２１、および、表示制御部４１，４２，４３を備える。表示制御部４１，４２，４３の１つが本発明の「第１表示制御部」に相当し、他の１つが本発明の「第２表示制御部」に相当する。中継部２１は、表示制御部４１，４２，４３に対して、例えば、Ｅｔｈｅｒｎｅｔ（登録商標）３１によって接続されている。なお、中継部２１と表示制御部４１，４２，４３との接続は、有線であっても無線であってもよいが、有線であることが好ましい。この接続には、Ｅｔｈｅｒｎｅｔ３１を採用することが好ましく、中継部２１と表示制御部４１，４２，４３は、ＬＡＮケーブルを介して接続されている。また、Ｅｔｈｅｒｎｅｔ３１に限らず、中継部２１と表示制御部４１，４２，４３とは、データ通信可能なケーブルによって接続されていればよく、好ましくはマルチキャストが可能な接続態様であるとよい。また、Ｅｔｈｅｒｎｅｔ３１に限らず、所謂、バス型接続のネットワークを用いてもよい。
【００２１】
中継部２１と外部のタブレット端末９１１，９１２とは、無線通信によって接続可能である。例えば、中継部２１とタブレット端末９１１，９１２は、ＷｉＦｉ（登録商標）によって接続可能である。
【００２２】
中継部２１は、確立した無線通信を用いて、タブレット端末９１１またはタブレット端末９１２から元映像データＶＤ０を受信する。中継部２１は、Ｅｔｈｅｒｎｅｔ３１を介して元映像データＶＤ０を表示制御部４１，４２，４３に送信する。この送信は、例えば、表示制御部４１，４２，４３を対象にしたマルチキャスト送信によって実現されている。
【００２３】
表示制御部４１は、ＨＤＭＩケーブル９９１を介して表示器９０１に接続されている。表示制御部４２は、ＨＤＭＩケーブル９９２を介して表示器９０２に接続されている。表示制御部４３は、ＨＤＭＩケーブル９９３を介して表示器９０３に接続されている。表示器９０１，９０２，９０３において、本発明の「第１表示制御部」に接続される表示器が本発明の「第１表示器」に相当し、「第２表示制御部」に接続される表示器が本発明の「第２表示器」に相当する。これらのＨＤＭＩケーブルによる表示制御部と表示器との接続態様が、本発明の「第１表示制御部と第１表示部との接続態様、第２表示制御部と第２表示部との接続態様」に相当する。
【００２４】
表示制御部４１は、データ受信部４１１と映像データ生成部４１２を備える。データ受信部４１１と映像データ生成部４１２は接続されている。データ受信部４１１はＥｔｈｅｒｎｅｔ３１を介して中継部２１に接続されている。映像データ生成部４１２はＨＤＭＩケーブル９９１を介して表示器９０１に接続されている。
【００２５】
データ受信部４１１は、Ｅｔｈｅｒｎｅｔ３１を介した中継部２１との通信を確立する。データ受信部４１１は、中継部２１から元映像データＶＤ０を受信する。データ受信部４１１は、元映像データＶＤ０を映像データ生成部４１２に出力する。
【００２６】
映像データ生成部４１２は、元映像データＶＤ０をＨＤＭＩ形式に変換する。この際、映像データ生成部４１２は、表示器９０１の表示仕様に応じた映像データＤＤ１に変換する。映像データ生成部４１２は、変換後の映像データＤＤ１を、ＨＤＭＩケーブル９９１を介して表示器９０１に出力する。
【００２７】
表示制御部４２は、データ受信部４２１と映像データ生成部４２２を備える。データ受信部４２１と映像データ生成部４２２は接続されている。データ受信部４２１は中継部２１に接続されており、映像データ生成部４２２は表示器９０２に接続されている。
【００２８】
データ受信部４２１は、Ｅｔｈｅｒｎｅｔ３１を介する中継部２１との通信を確立する。データ受信部４２１は、Ｅｔｈｅｒｎｅｔ３１を介して中継部２１から元映像データＶＤ０を受信する。データ受信部４２１は、元映像データＶＤ０を映像データ生成部４２２に出力する。
【００２９】
映像データ生成部４２２は、元映像データＶＤ０をＨＤＭＩ形式に変換する。この際、映像データ生成部４２２は、表示器９０２の表示仕様に応じた映像データＤＤ２に変換する。映像データ生成部４２２は、変換後の映像データＤＤ２を、ＨＤＭＩケーブル９９２を介して表示器９０２に出力する。
【００３０】
表示制御部４３は、データ受信部４３１と映像データ生成部４３２を備える。データ受信部４３１と映像データ生成部４３２は接続されている。データ受信部４３１は中継部２１に接続されており、映像データ生成部４３２は表示器９０３に接続されている。
【００３１】
データ受信部４３１は、Ｅｔｈｅｒｎｅｔ３１を介する中継部２１との通信を確立する。データ受信部４３１は、Ｅｔｈｅｒｎｅｔ３１を介して中継部２１から元映像データＶＤ０を受信する。データ受信部４３１は、元映像データＶＤ０を映像データ生成部４３２に出力する。
【００３２】
映像データ生成部４３２は、元映像データＶＤ０をＨＤＭＩ形式に変換する。この際、映像データ生成部４３２は、表示器９０２の表示仕様に応じた映像データＤＤ３に変換する。映像データ生成部４３２は、変換後の映像データＤＤ３を、ＨＤＭＩケーブル９９３を介して表示器９０３に出力する。
【００３３】
なお、変換後の映像データＤＤ１，ＤＤ２，ＤＤ３において、「第１表示制御部」によって生成された変換後の映像データが本発明の「第１映像データ」に相当し、「第２表示制御部」によって生成された変換後の映像データが本発明の「第２映像データ」に相当する。
【００３４】
このような構成とすることにより、図２に示すように、映像配信システム１０は、元映像データＶＤ０から、表示器９０１の表示仕様に応じた映像データＤＤ１、表示器９０２の表示仕様に応じた映像データＤＤ２、および、表示器９０３の表示仕様に応じた映像データＤＤ３を生成することができる。
【００３５】
映像配信システム１０は、映像データＤＤ１を表示器９０１に出力し、映像データＤＤ２を表示器９０２に出力し、映像データＤＤ１，ＤＤ２，ＤＤ３を表示器９０３に出力する。すなわち、映像配信システム１０は、表示器毎に設定された映像データを、この設定対象の表示器毎に個別に出力することができる。例えば、図２に示す態様では、表示器９０１，９０２，９０３は、表示解像度および表示画面サイズが異なる。また、表示器９０１，９０３は字幕表示が指定されており、表示器９０２は字幕表示が指定されていない。このように、表示器９０１，９０２，９０３は、それぞれに表示仕様が異なる。このような場合であっても、映像配信システム１０は、１つの元映像データから、表示器９０１，９０２，９０３の表示解像度、表示画面サイズ、および字幕等によって決定される表示仕様に応じて、表示器９０１，９０２，９０３毎に適切な映像データを出力することができる。
【００３６】
また、映像配信システム１０は、表示制御部４１と表示器９０１との接続、表示制御部４２と表示器９０２との接続、および、表示制御部４３と表示器９０３との接続に応じて、個別に映像データＤＤ１，ＤＤ２，ＤＤ３を決定している。すなわち、映像データＤＤ１，ＤＤ２，ＤＤ３は、表示制御部と表示器との接続態様に応じて決定されている。
【００３７】
これにより、映像配信システム１０は、上述の各表示器の表示仕様とともに、表示制御部と表示器との接続態様に基づいて、すなわち各表示器９０１，９０２，９０３に対する映像仕様（本発明の「第１の映像仕様、第２の映像仕様」に基づいて、表示器９０１，９０２，９０３毎に適切な映像データを出力することができる。
【００３８】
さらに、本実施形態の映像配信システム１０では、複数の表示器９０１，９０２，９０３に対して共通の中継部２１によって、タブレット端末９１１，９１２からの元映像データＶＤ０の受信している。これにより、表示器９０１，９０２，９０３毎に元映像データの受信部を備える従来の構成よりも、簡素な構成を実現できる。
【００３９】
また、本実施形態の映像配信システム１０では、１つの中継部２１がタブレット端末９１１，９１２と無線通信を行う。したがって、元映像データを受信する複数の受信部とタブレット端末９１１，９１２とが無線通信を行う構成（従来の構成）を必要とせず、各通信の通信帯域が狭くなり、データ通信速度が低下することを抑制できる。これにより、複数の表示器９０１，９０２，９０３への映像データの表示の遅延を抑制することができ、各表示器で所望のタイミングで確実に映像を表示することができる。
【００４０】
また、本実施形態の映像配信システム１０では、Ｅｔｈｅｒｎｅｔ３１を介して、１つの中継部２１から複数の表示制御部４１，４２，４３に元映像データを送信している。したがって、元映像データを複数の表示制御部４１，４２，４３に分配する構成を、安価で汎用性の高いケーブル（ＬＡＮケーブル）等によって実現することができる。これにより、ＨＤＭＩケーブル９９１，９９２，９９３よりも引き回しが容易な部材によって、映像配信システム１０の構成を実現でき、表示器９０１，９０２，９０３を、容易に所望の位置に配置することができる。
【００４１】
また、Ｅｔｈｅｒｎｅｔ３１を用いることによって、表示器の個数が変化した場合に、この変化に応じて表示制御部の個数を変化させて、複数の表示制御部を１つの中継部２１にＬＡＮケーブルで接続すればよい。したがって、表示器側の状況に応じた適切な映像配信システムを容易に構成することができる。この際、マルチキャストを用いることによって、表示制御部の個数に影響されることなく、所望とするタイミングで各表示器に映像を表示させることができる。
【００４２】
また、本実施形態の映像配信システム１０では、ＨＤＭＩ形式に変換する前の元映像データを複数に分配している。これにより、上述のように、表示器９０１，９０２，９０３の表示態様が異なっていても、各表示器９０１，９０２，９０３に応じた映像データＤＤ１，ＤＤ２，ＤＤ３を出力できる。一方、ＨＤＭＩの分配器を用いた場合、分配されたＨＤＭＩケーブルに接続された複数の表示器には、同じ映像データしか出力できない。このように、本実施形態の映像配信システム１０を用いることによって、複数の表示器による多様な表示態様に、より柔軟に対応することができる。
【００４３】
また、本実施形態の映像配信システム１０では、映像データを圧縮すること無く、デジタルデータのままで、タブレット端末９１１，９１２から表示器９０１，９０２，９０３に提供することができる。したがって、タブレット端末９１１，９１２が出力する映像をそのまま表示器９０１，９０２，９０３で表示することができる。
【００４４】
また、本実施形態の映像配信システム１０では、中継部２１における元映像データの受信処理を行う以前に、表示制御部４１，４２，４３が表示器９０１，９０２，９０３との接続確立を行うことができる。これにより、次に示す作用効果を得ることができる。
【００４５】
図３は、本実施形態に係る映像配信システムおよび従来の映像配信システムにおける操作開始から映像の表示までを示すタイムチャートである。図３に示すように、従来構成は、操作開始を起点として、通信制御部が起動し、接続先であるタブレット端末をサーチし、タブレット端末と通信制御部との接続、および通信制御部と表示器との接続を確立する。従来構成は、この接続確立後に、タブレット端末から元映像データを取得して、表示器に応じた映像データに変換する表示準備を実行する。従来構成は、この表示準備の終了後に映像の表示（再生）を実行する。
【００４６】
一方、本実施形態に係る映像配信システム１０では、各部がＥｔｈｅｒｎｅｔ等のバス型接続の通信ネットワークで接続されているので、中継部２１と表示制御部４１，４２，４３が起動していれば、これら中継部２１と表示制御部４１，４２，４３との接続、および中継部２１とタブレット端末との接続が確立されている。このため、本実施形態に係る映像配信システム１０は、操作開始を起点として、接続先サーチや接続確立処理を行うことなく、すぐに、元映像データを取得して表示器に応じた映像データに変換する表示準備を実行する。本実施形態に係る映像配信システム１０は、この表示準備の終了後に映像の表示（再生）を実行する。
【００４７】
このように、本実施形態に係る映像配信システム１０では、操作開始後に、表示器またはタブレット端末に対する接続のサーチ、接続の確立を行う必要が無いため、従来構成よりも、操作開始から表示の開始までの時間を短縮することができる。なお、本実施形態に係る映像配信システム１０では、タブレットへの接続処理を加えなくても、操作開始後に接続確立を行う必要が無いので、操作開始から表示器での表示までの時間を、従来構成よりも短くすることができる。
【００４８】
図４は、本実施形態に係る映像配信システムにおいて、表示器毎に表示タイミングを変える態様のタイムチャートである。図４（Ａ）は、複数の表示器で表示開始タイミングを異ならせる態様を示している。図４（Ｂ）は、時系列で複数の表示器が交互に表示する態様を示している。
【００４９】
図４（Ａ）に示すように、本実施形態に係る映像配信システム１０では、表示制御部４１と表示制御部４２に、同じタイミング（時刻）で、同じ元映像データが送信されている。表示制御部４１は、元映像データを表示器９０１に応じた映像データＤＤ１に変換する表示準備を実行する。表示制御部４２は、元映像データを表示器９０１に応じた映像データＤＤ２に変換する表示準備を実行する。これらの表示準備は、表示制御部４１，４２で個別に平行して行われる。
【００５０】
表示制御部４１は、自装置が映像データＤＤ１を出力するタイミング（時刻）になると、映像データＤＤ１を表示器９０１に出力する。表示制御部４２は、自装置が映像データＤＤ２を出力するタイミング（時刻）まで待機し、当該出力するタイミングになると、映像データＤＤ２を表示器９０２に出力する。
【００５１】
このように、本実施形態に係る映像配信システム１０を用いることによって、表示器毎に異なるタイミング（時刻）で、それぞれのタイミングに遅延することなく、映像を表示することができる。
【００５２】
図４（Ｂ）に示すように、本実施形態に係る映像配信システム１０では、表示制御部４１と表示制御部４２に、同じタイミング（時刻）で、同じ元映像データが送信されている。表示制御部４１は、元映像データを表示器９０１に応じた映像データＤＤ１に変換する表示準備を実行する。表示制御部４２は、元映像データを表示器９０１に応じた映像データＤＤ２に変換する表示準備を実行する。これらの表示準備は、表示制御部４１，４２で個別に平行して行われる。
【００５３】
表示制御部４１は、自装置が映像データＤＤ１を出力するタイミング（時刻）になると、映像データＤＤ１を表示器９０１に出力する。
【００５４】
表示制御部４２は、表示器９０１から表示器９０２に切り替わるタイミング（時刻）まで待機し、当該タイミングになると、映像データＤＤ２を表示器９０２に出力する。この際、表示制御部４１は、映像データＤＤ１の出力を停止する。
【００５５】
次に、表示制御部４１は、表示器９０２から表示器９０１に切り替わるタイミング（時刻）まで待機し、当該タイミングになると、映像データＤＤ１を表示器９０１に出力する。この際、表示制御部４２は、映像データＤＤ２の出力を停止する。
【００５６】
このように、本実施形態に係る映像配信システム１０を用いることによって、複数の表示器で切り換えながら映像を表示することができる。切り換えるタイミングに遅延することなく、映像を切り換えて表示することができる。
【００５７】
上述の説明に示した中継部２１と表示制御部４１，４２，４３で実行する処理をプログラム化しておき、コンピュータが当該プログラムを実行してもよい。図５は、本発明の実施形態に係る映像配信方法の処理を示すフローチャートである。
【００５８】
中継部２１は、タブレット端末９１１，９１２から元映像データＶＤ０を無線通信によって受信する（Ｓ２０１）。中継部２１は、複数の表示制御部４１，４２，４３を対象としたマルチキャスト送信によって、元映像データＶＤ０を送信する（Ｓ２０２）。
【００５９】
表示制御部４１は、中継部２１から元映像データＶＤ０を受信する（Ｓ４１１）。表示制御部４１は、元映像データＶＤ０を、ＨＤＭＩ形式の映像データＤＤ１に変換する。表示制御部４１は、ＨＤＭＩケーブル９９１を介して、表示器９０１の表示態様を予め表示器９０１から取得している。表示制御部４１は、表示器９０１の表示態様に応じた映像データＤＤ１を生成する（Ｓ４１２）。表示制御部４１は、映像データＤＤ１を表示器９０１に出力する（Ｓ４１３）。
【００６０】
表示制御部４２は、中継部２１から元映像データＶＤ０を受信する（Ｓ４２１）。表示制御部４２は、元映像データＶＤ０を、ＨＤＭＩ形式の映像データＤＤ２に変換する。表示制御部４２は、ＨＤＭＩケーブル９９２を介して、表示器９０２の表示態様を予め表示器９０２から取得している。表示制御部４２は、表示器９０２の表示態様に応じた映像データＤＤ２を生成する（Ｓ４２２）。表示制御部４２は、映像データＤＤ２を表示器９０２に出力する（Ｓ４２３）。
【００６１】
表示制御部４３は、中継部２１から元映像データＶＤ０を受信する（Ｓ４３１）。表示制御部４３は、元映像データＶＤ０を、ＨＤＭＩ形式の映像データＤＤ３に変換する。表示制御部４３は、ＨＤＭＩケーブル９９３を介して、表示器９０３の表示態様を予め表示器９０３から取得している。表示制御部４３は、表示器９０３の表示態様に応じた映像データＤＤ３を生成する（Ｓ４３２）。表示制御部４３は、映像データＤＤ３を表示器９０３に出力する（Ｓ４３３）。
【００６２】
なお、上述の説明では、タブレット端末が２台の場合を示したが、１台であっても３台以上であってもよい。また、表示器が３台の場合を示したが、２台または４台以上であってもよい。すなわち、表示器は複数台であればよく、表示器毎に表示制御部が備えられていればよい。
【００６３】
また、上述の説明では、中継部２１と表示制御部４１，４２，４３との間での元映像データＶＤ０の送信をマルチキャスト送信にする態様を示したが、ブロードキャスト送信やユニキャスト送信を用いてもよい。ユニキャスト送信の場合、中継部２１は、表示制御部４１，４２，４３に対して個別に異なる時刻で送信を行うことが可能になる。したがって、表示制御部４１，４２，４３がそれぞれに必要とする時刻のみに元映像データＶＤ０を必要とする表示制御部に送信することができる。
【符号の説明】
【００６４】
１０：映像配信システム
２１：中継部
３１：Ｅｔｈｅｒｎｅｔ
４１：表示制御部
４１，４２，４３：表示制御部
４１１，４２１，４３１：データ受信部
４１２，４２２，４３２：映像データ生成部
９０１，９０２，９０３：表示器
９１１，９１２：タブレット端末
９９１，９９２，９９３：ＨＤＭＩケーブル
ＤＤ１，ＤＤ２，ＤＤ３：映像データ
ＶＤ０：元映像データ
【図１】
0006469501.tif 000002
【図２】
0006469501.tif 000003
【図３】
0006469501.tif 000004
【図４】
0006469501.tif 000005
【図５】
0006469501.tif 000006
【図６】
0006469501.tif 000007